(57)【要約】 【課題】棚部と蓋部とを備えた従来の段ボール製キャビネットは、棚部から独立して引出部を使用すると、蓋を有していないために内容物を露出させないで保管できない点、及び通常の蓋付パッキングケースを引出部として用いると、蓋が邪魔になる点、を解消する。【解決手段】引出部３を棚部２から独立して使用する際に内容物の出し入れする開口３Ａに配され、該引出部３を該棚部２と共に使用する際に開口３Ａから退避させる蓋部４と、この蓋部４を開口３Ａから退避させた状態を維持する退避維持部Ｐと、を有する。【効果】退避維持部Ｐにより蓋部４を開口３Ａから退避させた状態を維持できるから、該蓋部４が、引出部３に対する内容物の出し入れや棚部２に対する引出部４の出し入れ操作の邪魔にならず、引出部３を棚部２から独立して使用するときには蓋部４が該引出部３の開口３Ａを塞ぐことができる。【選択図】  図１
0003128593.tif 000002
【実用新案登録請求の範囲】
【請求項１】
棚部及び該棚部に出入自在に収納された引出部が段ボールで形成されている段ボール製キャビネットにおいて、前記引出部を前記棚部から独立して使用する際に内容物の出し入れする開口に配され、該引出部を該棚部と共に使用する際に前記開口から退避させる蓋部と、この蓋部を前記開口から退避させた状態を維持する退避維持部と、を有したことを特徴とする段ボール製キャビネット。
【請求項２】
開口に配された蓋部と引出部とを係合させるロック部を有したことを特徴とする請求項１記載の段ボール製キャビネット。
【請求項３】
棚部に、該棚部の構造を強化する補強部を有したことを特徴とする請求項１又は２記載の段ボール製キャビネット。
【請求項４】
補強部によって棚部を縦方向及び横方向に積み重ねることを特徴とする請求項３記載の段ボール製キャビネット。
【考案の詳細な説明】
【技術分野】
【０００１】
本考案は、引出部と棚部とが段ボール製とされ、引出部が棚部から独立した保管箱として使用できる段ボール製キャビネットに関する。
【背景技術】
【０００２】
以下の特許文献１〜４には、例えば段ボール製の棚部と、この棚部に出入自在とされた引出部とを有する段ボール製キャビネットに関する構成が示されている。
【０００３】
【特許文献１】実開平６−６９１３３号公報
【特許文献２】実公平８−８６６８号公報
【特許文献３】特開平１１−１９８９２６号公報
【特許文献４】実用新案登録第３０８９５６７号公報
【考案の開示】
【考案が解決しようとする課題】
【０００４】
この種の段ボール製キャビネットにおいては、製造・開発側からすれば、引出部は棚部と不可分的に存在するセットとして開発しているから、棚部から引出部を引き出して、該引出部を独立した保管箱として利用することは想定していない。
【０００５】
ところが、需用側では、１）引出部の内容物を取り出して他の保管箱に移動する、２）棚部はそのままで引出部だけ別の場所に移動する、３）例えば破損、汚損、などの理由により棚部は使用できるが引出部だけ使用不能となり、引出部だけ別途購入し、使用不能となった引出部を保管箱として使用する、といった形態が存在する。
【０００６】
しかしながら、特許文献１〜４の段ボール製キャビネットは、上記したように、棚部と引出部とがセットにされたものであって、引出部を棚部から独立して使用するという、需用側のごく普通の使用形態１）〜３）は想定されてないため、次の問題が生じる。
【０００７】
使用形態１）は他の蓋を有する保管箱を用意する必要があると共に、内容物を一度にまとめて移動できないという問題があるが、これは特許文献１〜４に限ったことではない。
【０００８】
使用形態２）３）で生じる問題は特許文献１〜４において顕著となる。すなわち、特許文献１〜４では引出部に蓋が設けられていないので、使用形態２）３）においては、内容物が露出したままとなり、内容物の保管、保護機能に欠けるといった問題があると共に、内容物によっては移動時に引出部からこぼれ落ちることがあるという問題がある。
【０００９】
ならば、棚部に、段ボール製の通常の蓋付のパッキングケースを用いることが考えられるが、通常の蓋付のパッキングケースは、そもそも必ず蓋をすることが前提となっており、換言すると蓋を開けたまま使用することが前提とされていない。
【００１０】
したがって、通常の蓋付のパッキングケースは、蓋を使用しないときの該蓋の扱いが定まっていないから、棚部に引出部として用いたとしても、棚部からの出し入れ操作に蓋が邪魔になる可能性があり、また、引出部（通常の蓋付のパッキングケース）に内容物を挿入しようとする際にも邪魔になる可能性がある。
【００１１】
本考案が解決しようとする問題点は、特許文献１〜４の段ボール製キャビネットにおける引出部には蓋が設けられていなかったため、棚部から独立させて、内容物を保護できる保管箱として使用できない点、及び通常の蓋付パッキングケースを引出部として用いても、棚部と共に使用する際に蓋が邪魔になる点、を解消することにある。
【課題を解決するための手段】
【００１２】
上記問題を解決するために、本考案は、引出部を棚部から独立して使用する際に内容物の出し入れする開口に配され、該引出部を該棚部と共に使用する際に開口から退避させる蓋部と、この蓋部を開口から退避させた状態を維持する退避維持部と、を有することとした。
【考案の効果】
【００１３】
本考案の段ボール製キャビネットは、棚部と引出部とがセットとされた状態で使用するときには蓋部を開口から退避させ、この状態が退避維持部により維持されるから、該蓋部が内容物の出し入れ、及び棚部に対する引出部の出し入れ操作、の邪魔にならない。一方、本考案の段ボール製キャビネットは、引出部を保管箱として棚部から独立して使用するときには蓋部により開口を塞ぐことができる。
【考案を実施するための最良の形態】
【００１４】
本考案は、図１〜図１９に示す以下の形態により実施可能である。図１〜図５は第１形態を、図６〜図９は第２形態を、図１０〜図１３は第３形態を、図１４及び図１５は第４形態を、図１６〜図１９は第５形態を、各々示している。まず、本考案の段ボール製キャビネット１の特徴を示し、以降、各形態における構成の詳細を説明し、第２〜第５形態は第１形態と異なる構成について説明することとする。
【００１５】
図１〜図１９における各形態において、本考案の段ボール製キャビネット１は、棚部２と、該棚部２に対して出し入れ操作自在に収納された引出部３とが共に段ボールで形成され、さらに、引出部３に対して内容物を出し入れするための開口３Ａを塞ぐための蓋部４と、この蓋部４を開口３Ａから退避させた状態を維持する退避維持部Ｐと、を有したことを特徴としている。
【００１６】
なお、本考案の段ボール製キャビネットは、棚部２及び引出部３並びに蓋部４は、使用者が購入後に組み立てるものであるが、組み立て前の展開状態については限定しない。
【００１７】
（第１形態）
図１に示す棚部２は、引出部３の出し入れ操作が行われる側の面に出入開口２Ａが形成され、残りの５面は全て壁面で覆われており、第１形態では出入開口２Ａの周縁部には内側に折り返した補強面２Ｂが設けられている。この補強面２Ｂは、出入開口２Ａを形成する４辺縁部に設けられており、引出部３の出し入れ操作による出入開口２Ａのダメージを軽減するためのものである。
【００１８】
図１〜図４に示す引出部３は、出入開口２Ａの高さ寸法及び幅寸法に対して若干小さい寸法とされた引出面３ａと、引出面３ａの左右両端から各々奥方へ向けて形成され、棚部２の奥行き寸法に対して若干小さい寸法とされた側面３ｂ，３ｂと、引出面３ａと同一寸法で該引出面３ａと対向すると共に側面３ｂ，３ｂの該引出面３ａと反対の各々の端部が接続した後面３ｃと、引出面３ａ、側面３ｂ，３ｂ、後面３ｃの下辺が接続した底面３ｄとを有する。この引出部３の組み立て前の展開状態を部分的に図４に示す。
【００１９】
引出面３ａ、側面３ｂ，３ｂ、及び後面３ｃの各面の底面３ｄと接続していない側、すなわち上方によって上記開口３Ａが形成されており、この開口３Ａから内容物を出し入れする。特に第１形態の引出部３は、側面３ｂ，３ｂの高さ寸法は引出面３ａ及び後面３ｃより低くしているので、引出部３としての両側方からの内容物の出し入れが容易である。また、引出面３ａと後面３ｃには、幅方向の中央部位に取手口３Ｂが形成されている。
【００２０】
さらに、第１形態では、引出面３ａと後面３ｃの幅中央の上端部には係合片３Ｃが形成されている。この係合片３Ｃは、引出部３を棚部２と共に使用する場合には、奥行き方向途中部分が前記上端部となり、この上端部で折り曲げて引出面３ａと後面３ｃ各々の内側面と外側面の一部を形成する。
【００２１】
そして、係合片３Ｃは、該引出部３を棚部２から独立して使用する場合であって蓋部４で開口３Ａを塞いだ場合には、その内側面を外側に移動させ、後述する蓋部４の係合孔４ｃに係合する。
【００２２】
図１〜図３及び図５に示す蓋部４は、第１形態では、引出面３ａ、側面３ｂ，３ｂ、後面３ｃの各面の厚みを加えた底面３ｄより若干広い幅及び奥行き寸法とされ、開口３Ａを覆うための天面４Ａと、この天面４Ａの４辺から直交状に垂設された前囲面４ａ、側囲面４ｂ，４ｂ、後囲面４ｃと、を有する。この蓋部４の組み立て前の展開状態を部分的に図５に示す。
【００２３】
また、蓋部４は、第１形態では、前囲面４ａと後囲面４ｃにおける幅方向中央で天面４Ａと接続していない側に、蓋部４により引出部３の開口３Ａを塞いだときには係合片３Ｃを導出するために機能し、蓋部４を引出部３の開口３Ａから退避させているときには取手口３Ｂを塞がないように機能する、切欠４Ｂが形成されている。
【００２４】
さらに、蓋部４は、前囲面４ａと後囲面４ｃにおける天面４Ａとの境部分で幅方向中央に、それぞれ係合孔４Ｃが形成されている。上記引出部３の係合片３Ｃは、蓋部４により引出部３の開口３Ａを塞いだときに、切欠４Ｂを介して係合孔４Ｃに挿入される。
【００２５】
すなわち、第１形態の段ボール製キャビネット１は、係合片３Ｃと係合孔４Ｃとにより、開口３Ａに配された蓋部４と、引出部３とを係合させるロック部Ｒを構成している。このロック部Ｒを有することで、棚部２から独立して引出部３を使用する場合において、蓋部４により開口３Ａを塞いだときの内容物の保管性が向上する。
【００２６】
そして、第１形態の段ボール製キャビネット１は、蓋部４における天面４Ａの内側、前囲面４ａ，側囲面４ｂ，４ｂ、及び後囲面４ｃにより形成される空間が、該蓋部４を開口３Ａから退避させた状態を維持する退避維持部Ｐに相当する。
【００２７】
上記構成の第１形態における段ボール製キャビネット１は、棚部２と共に引出部３を使用する場合は、図１及び図２に示すように、蓋部４の天面４Ａの内側を引出部３の底面３ｄの外側に対向させて嵌め込む。このとき、蓋部４には退避維持部Ｐが形成されているから、蓋部４が引出部３の外側に嵌め込まれた状態、すなわち開口３Ａから蓋部４を退避させた状態が維持される。
【００２８】
そして、第１形態における段ボール製キャビネット１は、棚部２から独立して引出部３を使用する場合は、図３に示すように、棚部２から引出部３を完全に引き出し、蓋部４を引出部３から外し、引出面３ａと後面３ｃの内側を形成していた係合片３Ｃ，３Ｃの内側面を外側に展開し、天面４Ａの内側を開口３Ａ上に対向させ、蓋部４を引出部３の上部外側に嵌め込む。
【００２９】
その後、引出面３ａと後面３ｃの各々の外側に展開しておいた係合片３Ｃ，３Ｃを、引出部３の上部外側に嵌め込まれた蓋部４の係合孔４Ｃに、切欠４Ｂを介して挿入する。この状態を図３に示す。
【００３０】
したがって、第１形態の段ボール製キャビネット１は、引出部３の内容物を取り出して他の保管箱に移動しなくても引出部３だけ別の場所に移動して保管箱として使用できる。また、第１形態の段ボール製キャビネット１は、退避維持部Ｐにより蓋部４を開口３Ａから退避させた状態を維持できるから、引出部３への内容物の出し入れ、及び棚部２に対する引出部３の出し入れ操作、の邪魔にならず、かつ、引出部３を棚部２から独立して使用するときに蓋部４により開口３Ａを塞ぐことができる。
【００３１】
また、特にロック部Ｒを有することで、引出部３を棚部２から独立して使用するときに蓋部４により開口３Ａを確実に密閉することができ、保管性が向上する。
【００３２】
（第２形態）
図６〜図９に示す第２形態における段ボール製キャビネット１は、引出部３と一体的に蓋部４が設けられている点が第１形態の構成と最も異なり、さらに異なる点を次に示す。引出部３は、側面３ｂ，３ｂが、引出面３ａ及び後面３ｃと同じ高さとされている。そして、取手口３Ｂが、引出面３ａ及び後面３ｃの高さ方向のやや上部に形成されている。
【００３３】
また、引出部３の引出面３ａと後面３ｃの幅方向上端には、上端面に係合孔３Ｄが形成されており、この係合孔３Ｄに後述する蓋部４の係合片４Ｄが挿入される。したがって、第２形態における引出部３は、係合片３Ｃが存在しない。
【００３４】
さらに、引出部３の引出面３ａと側面３ｂ，３ｂとの境、後面３ｃと側面３ｂ，３ｂとの境、にはそれぞれ係合孔３Ｅが形成されている。第２形態では、この係合孔３Ｅと後述する蓋部４の係合片４Ｄとにより、退避維持部Ｐを構成する。
【００３５】
一方、第２形態の蓋部４は、引出部３の側面３ｂ，３ｂの上端に連続的に設けられている。蓋部４は、側面３ｂ，３ｂから底面３ｄの幅の半分とされ、それぞれが開口３Ａに位置したときに該開口３Ａを塞ぐ天面４Ａとして機能する。したがって、第２形態における蓋部４は、前囲面４ａ、側囲面４ｂ，４ｂ、後囲面４ｃ（その他、切欠４Ｂ、係合孔４Ｃ）は存在しない。
【００３６】
さらに、第２形態の蓋部４は、引出部３の側面３ｂ，３ｂと接続した側とは反対側の引出面３ａ及び後面３ｃの各々の側に、係合孔３Ｄと係合孔３Ｅに挿入される係合片４Ｄが形成されている。第２形態では、上記係合孔３Ｄと前記係合片４Ｄによりロック部Ｒが構成される。
【００３７】
第２形態の段ボール製キャビネット１は、蓋部４を開口３Ａから退避させているとき、つまり、引出部３が棚部２と共に使用される場合、図６及び図７に示すように、係合片４Ｄが係合孔３Ｅに挿入されることにより（退避維持部Ｐにより）、蓋部４が側面３ｂ，３ｂに接するよう位置し、開口３Ａから退避させた状態が維持される。
【００３８】
一方、蓋部４が開口３Ａを覆っているとき、つまり、引出部３が棚部２から独立して使用される場合、図８（ａ）に示すように係合片４Ｄを係合孔３Ｅから外し、蓋４の係合片４Ｄを設けた側を開口３Ａ上に回転させ、図８（ｂ）に示すように該係合片４Ｄを係合孔３Ｄに挿入することにより（ロック部Ｒにより）、蓋部４が開口３Ａを塞いだ状態でロックされる。
【００３９】
したがって、第２形態の構成によっても、第１形態と同様の作用効果を得ることができる。また、特に第２形態の構成であれば、蓋部４が引出部３と一体的に設けられているから、引出部３を棚部２から独立して使用したり、再度棚部２へ戻したりする使用を煩雑に行うような場合には、蓋部４が紛失したりしない点で有利である。
【００４０】
（第３形態）
図１０〜図１３に示す第３形態における段ボール製キャビネット１は、引出部３と一体的に蓋部４が設けられている点が第１形態の構成と最も異なり、さらに異なる点を次に示す。なお、図１０〜図１３において括弧で示す参照符号及びこの参照符号に相当する構成は、第３形態においては有さないが、第３形態の変形例において有することを意味する。引出部３は、側面３ｂ，３ｂが、引出面３ａ及び後面３ｃと同じ高さとされている。そして取手口３Ｂが、引出面３ａ及び後面３ｃの高さ方向のやや下部に形成され、ここに取手金具（参照番号無）を設けている。
【００４１】
また、引出部３の引出面３ａと後面３ｃの幅方向上端には係合片３Ｃが形成されると共に、係合孔３Ｄが形成されており、この係合孔３Ｄに、引出部３を棚部２と共に使用する場合には前記係合片３Ｃが挿入され、引出部３を棚部２から独立して使用する場合には後述する蓋部４の係合片４Ｄａが挿入される。
【００４２】
さらに、引出部３の引出面３ａと側面３ｂ，３ｂとの境、後面３ｃと側面３ｂ，３ｂとの境、にはそれぞれ係合孔３Ｅが形成されている。係合孔３Ｅには後述する蓋部４の係合片４Ｄａが挿入される。そして、第３形態では、係合孔３Ｅと、係合片４Ｄａにより、退避維持部Ｐを構成する。
【００４３】
一方、第３形態の蓋部４は、引出部３の側面３ｂ，３ｂの上端に連続的に設けられている。蓋部４は、側面３ｂ，３ｂから底面３ｄの幅の半分とされ、それぞれが開口３Ａに位置したときに該開口３Ａを塞ぐ天面４Ａとして機能する。したがって、第３形態の蓋部４は、ここまでの説明においては第２形態の蓋部４と同じである。
【００４４】
さらに、第３形態の蓋部４は、引出部３の側面３ｂ，３ｂと接続した側とは反対側の引出面３ａ及び後面３ｃの各々の側に、係合孔３Ｄと係合孔３Ｅに挿入される係合片４Ｄａが形成されている。
【００４５】
係合片４Ｄａは、引出部３の側面３ｂ，３ｂと接続した側とは反対側における引出面３ａ及び後面３ｃの各々の側の、該引出面３ａ及び後面３ｃへ余剰する部分により形成されている。さらに、天面４Ａにおいて、係合片４Ｄａが形成された幅方向両端から中央寄りの部位を、高さ（縦）方向に切欠いた切欠部４Ｅが形成されている。第３形態では、切欠部４Ｅと前記係合片３Ｃ、及び係合片４Ｄａと前記係合孔３Ｄとによりロック部Ｒが構成される。
【００４６】
第３形態の段ボール製キャビネット１は、蓋部４を開口３Ａから退避させているとき、つまり、引出部３が棚部２と共に使用される場合、図１０に示すように、係合片４Ｄａが係合孔３Ｅに挿入されることにより（退避維持部Ｐにより）、蓋部４が側面３ｂ，３ｂに接するよう位置し、開口３Ａから退避させた状態が維持される。
【００４７】
一方、蓋部４が開口３Ａを覆っているとき、つまり、引出部３が棚部２から独立して使用される場合、図１１の状態を経て図１２に示す状態となる。すなわち、係合片４Ｄａを係合孔３Ｅから外し、蓋４の係合片４Ｄａを設けた側を開口３Ａ上に回転させ、係合孔３Ｄに係合片４Ｄａを挿入し、そのうえで、該係合片３Ｃを切欠部４Ｅに挿入することによって（ロック部Ｒによって）、図１２に示すように、蓋部４が開口３Ａを塞いだ状態でロックされる。
【００４８】
したがって、第３形態の構成によっても、第１形態と同様の作用効果を得ることができる。また、特に第３形態の構成であれば、上記第２形態と同様、蓋部４が引出部３と一体的に設けられているから、引出部３を棚部２から独立して使用したり、再度棚部２へ戻したりする使用を煩雑に行うような場合には、蓋部４が紛失したりしない点で有利である。
【００４９】
また、上記第３形態の変形例として、図１０〜図１３において括弧で示す参照符号に相当する構成を付加してもよい。引出部３は、側面３ｂ，３ｂにおける引出面３ａ、後面３ｄの寄りの２箇所に、係合孔３Ｅと同高さの係合孔３Ｆが形成される。この係合孔３Ｆには後述する蓋部４の係合片４Ｄｂが挿入される。蓋部４は、天面４Ａの一部を切欠いた切欠部４Ｅで分断された部位を係合片４Ｄｂとして機能させる。
【００５０】
この第３形態の変形例では、上記第３形態における係合孔３Ｅと係合片４Ｄａに加え、係合孔３Ｆと係合片４Ｄｂが付加された状態で退避維持部Ｐが構成する。なお、第３形態の変形例では、上記第３形態で説明したロック部Ｒの構成の変更はない。
【００５１】
第３形態の変形例における段ボール製キャビネット１は、蓋部４を開口３Ａから退避させているときは、図１０に示すように、係合片４Ｄａ，４Ｄｂが係合孔３Ｅ，３Ｆに挿入されることにより（退避維持部Ｐにより）、蓋部４が側面３ｂ，３ｂに接するよう位置し、開口３Ａから退避させた状態が維持される。
【００５２】
一方、蓋部４が開口３Ａを覆っているとき、つまり、引出部３が棚部２から独立して使用される場合、図１１の状態を経て図１２に示す状態となる。すなわち、係合片４Ｄａ，４Ｄｂを係合孔３Ｅ，３Ｆから外し、蓋４の係合片４Ｄａ，４Ｄｂを設けた側を開口３Ａ上に回転させ、係合孔３Ｄに係合片４Ｄａを挿入し、該係合片３Ｃを係合片４Ｄｂ上を覆ったうえで切欠部４Ｅに挿入することによって（ロック部Ｒによって）、図１２に示すように、蓋部４が開口３Ａを塞いだ状態でロックされる。
【００５３】
（第４形態）
図１４及び図１５に示す第４形態における段ボール製キャビネット１は、棚部２に補強部２Ｃを設けている点が第１形態の構成と最も異なり、さらに異なる点を次に示す。なお第４形態では棚部２が第１形態と異なるだけで、第２，３形態の引出部３を採用しても何ら問題はない。
【００５４】
第４形態における棚部２は、引出部３を挿入したときの開口３Ａと対向する上面２ａの内側で出入開口２Ａの縁部に補強部２Ｃが設けられている。この補強部２Ｃは、パネル状とされ、出入開口２Ａの縁部から奥行き方向には該出入開口２Ａの内側の高さ寸法と等しく、幅方向には該出入開口２Ａの内側の幅寸法より若干小さい寸法としている。
【００５５】
そして、棚部２の上面２ａ内側で出入開口２Ａの縁部と補強部２Ｃとは、折り曲げ可能に設けられており、補強部２Ｃは、引出部３が棚部２に挿入され、該引出部３の後面３ｃ（の高さ）又は内容物（の高さ）によって、奥方の端部が上面２ａの内側に貼り付くように支持される。
【００５６】
そして、引出部３が棚部２から完全に引き出されたときに、図１４（ｂ）及び図１５に示すように、補強部２Ｃの奥方端部が該上面２ａから出入開口２Ａの底面２ｄ内側に移動する。この状態で、補強部２Ｃは、引出部３が引き出された状態の出入開口２Ａの高さ方向の補強をする。なお、引出部３が棚部２に戻されたときには、補強部２Ｃは、再度、奥方の端部が上面２ａの内側に貼り付くように支持される。
【００５７】
このように、第４形態の段ボール製キャビネット１は、上記した第１〜第３形態のいずれかと同等の作用効果を得られることはもちろんのこと、特に、補強部２Ｃにより、高さ方向に積層された下部の棚部２から引出部３を引き出した際において高さ方向の補強が行え、また、空洞となった棚部２における出入開口２Ａを塞いで美観を損なうことがなく、さらに、当該棚部２に引出部３が存在しないことを視認させることもできる。
【００５８】
（第５形態）
図１６〜図１９に示す第５形態における段ボール製キャビネット１は、棚部２に補強部２Ｃとは異なる補強部５を設け、補強面２Ｂが存在しない点が第１形態の構成と最も異なり、また、上記第４形態と異なる点は補強部５が棚部２の連結機能をも有している点である。以下、第１形態と異なる点を示す。
【００５９】
棚部２は、側面２ｂ，２ｂの出入開口２Ａ縁部に、上面２ａと底面２ｄの奥行長さに対して余剰した巻込片２ｃ，２ｃが形成されている。そして、第５形態における補強部５は、出入開口２Ａにおける側面２ｂ，２ｂの縁部の内壁両側面に配され、前記巻込片２ｃにその上下端部以外が巻かれている。
【００６０】
巻込片２ｃによって補強部５の巻き込むには、例えば、図１７（ａ），（ｂ）に示すような補強部５を使用する場合、補強部５の長尺側面の複数箇所に屈曲した鉤状の突出部５ｄ（後述）を形成して、この鉤状の突出部５ｄで巻込片２ｃを係合しつつ該巻込片２ｃを該補強部５に巻くことで、容易でかつ確実に補強部５を巻込片２ｃに巻き込むことができる。また、この他には、不図示ではあるが、巻込片２ｃあるいは補強部５における互いの接触面に接着剤を塗布して巻込片２ｃでもって補強部５を巻き込めばよい。
【００６１】
さらには、不図示ではあるが、補強部５の長尺側面の複数箇所に折曲突出片を形成し、巻込片２ｃでもって補強部５を巻き込んだ際に、該折曲突出片を該巻込片２ｃの巻込内側から外側へと突出させ、巻込片２ｃの巻込外側へ突出した状態の折曲突出片を折り曲げることで巻込片２ｃと係合させるようにしてもよい。
【００６２】
補強部５は、例えば図１７（ａ），（ｂ）に示すように構成している。図１７（ａ）に示す補強部５は、四角管の上端部を縦連結凹部５ａとし、さらに、その下端部に縦連結凸部５ｂを設け、その縦方向中央部位に横方向連結孔５ｃが形成されている。一方、図１７（ｂ）に示す補強部５は、断面凹型の上端部を縦連結凹部５ａとし、さらに、その下端部に縦連結凸部５ｂを設け、その縦方向中央部位に横方向連結孔５ｃが形成されている。また、補強部５は、その長尺側面に複数の前述の突出部５ｄを形成している。
【００６３】
補強部５は、材質を例えば金属製とすれば、棚部２を縦方向に複数積み重ねても十分に強度が保たれる。また、ある程度の強度を保持することができると共に軽量化及び低コスト化を図るならば、補強部５は硬質のプラスチックを用いればよい。
【００６４】
なお、棚部２の側面２ｂ，２ｂにおける縦方向両側面には、横方向連結孔５ｃと連通する孔２ｅが形成されており、これら横方向連結孔５ｃと孔２ｅは、図１８（ａ）に示すように、棚部２の組立時に雄ねじＢａと雌ねじＢｂとが嵌入される。この孔２ｅは、必要時のみ開けられるよう、ミシン目状の切れ目で形成されている。
【００６５】
さらに、補強部５を金属製とした場合には、表面にキレート化合物を含浸させたシートを貼着したり、キレート化合物を塗布したりすれば、錆びることを確実に防止することができる。
【００６６】
上記の場合、キレート剤としては、ＥＤＴＡ（Ethylene Diamine Tetraacetic Acid ）、ＮＴＡ（Nitrilo Triacetic Acid）、ＨＥＤＴＡ（Hydroxyethyl Ethylene Diamine Triacetic Acid）、ＤＴＰＡ（Diethylene Triamine Pentaacetic Acid）、ＴＴＨＡ（Triethylene Tetramine Hexaacetic Acid ）、ＨＩＤＥ（Hydroxyethyl Imino Diacetic Acid）、ＤＨＥＧ（Dihydroxy Ethyl Glycine ）などを使用する。
【００６７】
また、補強部５をプラスチック製とする場合には、十分な強度を確保するために、例えばポリカーボネートやＡＢＳ（アクリロニトリル・ブタジエン・スチレン）樹脂等を採用すればよい。
【００６８】
補強部５の形状については、図１７に示す例に限られず、例えば縦連結凸部５ｂに代えて、その両端が縦連結凹部５ａ，５ａとされたものであってもよい。この場合、縦方向への連結は行わず、単に積み重ねた状態での使用となるが、段ボール製キャビネット１に収納した内容物の自重や段ボールの摩擦により、２段又は３段程度積み重ねても十分安定して使用可能である。
【００６９】
なお、第５形態の補強部５を連結機能を有しないで、補強用の部材としてのみ使用する場合は、縦連結凹部５ａ、縦連結凸部５ｂ、横方向連結孔５ｃなどが省略された構成とすればよい。
【００７０】
第５形態の段ボール製キャビネット１の使用状況について説明する。例えば縦２個、横２個に棚部２を積層する場合、例えば、最下段に位置させるべき棚部２を載置した後、図１９（ａ）に示すように、横に次列の棚部２を載置し、隣接する棚部２，２における横方向連結孔５ｃに孔２ｅを介して雄ねじＢａと雌ねじＢｂとを嵌入して最下段の横方向２個を連結する。
【００７１】
なお、最下段の２個の棚部２においては、最両側部の縦連結凸部５ｂ，５ｂを、例えば、互いに接近するように折り曲げて、中央部の縦連結凸部５ｂ，５ｂは互いに接触しないように各々折り曲げれば、これら折り曲げた縦連結凸部５ｂ，５ｂ，５ｂ，５ｂが、棚部２の外形から露出することがない。
【００７２】
この後、最下段の棚部２，２の上部に、２段目の２個の棚部２，２を載置する。この縦方向への連結は、図１９（ｂ）に示すように、下段の縦連結凹部５ａに上段の縦連結凸部５ｂを各々嵌入して行う。そして、上段の２個の棚部２において横方向の連結を行い、引出部３を出入開口２Ａから挿入すれば段ボール製キャビネット１が完成する。
【００７３】
このように、第５形態における段ボール製キャビネット１は、第１〜第３形態のいずれかと同等の作用効果を得られることはもちろんのこと、補強部５を設けているので引出部３を棚部２から独立して使用しても、第４形態のように棚部２を確実に補強できる。
【００７４】
また、特に第５形態における固有の作用効果としては、補強部５が上下左右の棚部２に対する連結機能を有しているので棚部２を一体とすることができ、また、補強部５が側面２ｂ，２ｂに外面に露出していないので、連結させた際に棚部２同士に隙間が生じない。よって、段ボール製キャビネット１全体として棚部２を隙間なく整列させることができ、また、段ボールで外観が統一されているので見栄えがよい。
【００７５】
さらに、補強部５が側面２ｂ，２ｂに外面に露出していないので、ボール製キャビネット１に衝突しても、補強部５を巻いた巻込片２ｃが衝撃緩衝材として作用して、大きなけがを負うことがなく、また、補強部５が金属製であれば錆びにくく、また硬質のプラスティック製であれば埃が付着しにくい。
【図面の簡単な説明】
【００７６】
【図１】本考案の第１形態の段ボール製キャビネットを示す斜視図である。
【図２】本考案の第１形態の蓋部及び引出部を示し、該引出部を棚部から引き出した状態を示す斜視図である。
【図３】本考案の第１形態の蓋部及び引出部を示し、該引出部を棚部から独立して使用する状態を示す斜視図である。
【図４】本考案の第１形態の引出部の組み立て前の状態を示す図である。
【図５】本考案の第１形態の蓋部の組み立て前の状態を示す図である。
【図６】本考案の第２形態の段ボール製キャビネットを示す斜視図である。
【図７】本考案の第２形態の蓋部及び引出部を示し、該引出部を棚部から引き出した状態を示す斜視図である。
【図８】（ａ）（ｂ）は、本考案の第２形態の蓋部及び引出部を示し、該引出部を棚部から独立して使用する状態を示す斜視図である。
【図９】本考案の第２形態の引出部及び蓋部の組み立て前の状態を示す図である。
【図１０】本考案の第３形態とその変形例の段ボール製キャビネットを示す斜視図である。
【図１１】本考案の第３形態とその変形例の蓋部及び引出部を示し、該引出部を棚部から引き出した状態を示す斜視図である。
【図１２】本考案の第３形態とその変形例の蓋部及び引出部を示し、該引出部を棚部から独立して使用する状態を示す斜視図である。
【図１３】本考案の第３形態とその変形例の引出部及び蓋部の組み立て前の状態を示す図である。
【図１４】本考案の第４形態の段ボール製キャビネットであり、（ａ）は引出部が棚部に挿入されている状態、（ｂ）は引出部が棚部から引き出された状態、を示すす部分断面図である。
【図１５】本考案の第４形態の棚部であり、引出部から引き出された状態を示す斜視図である。
【図１６】本考案の第５形態の段ボール製キャビネットを示す斜視図である。
【図１７】（ａ）（ｂ）は本考案の第５形態の補強部を示す斜視図である。
【図１８】本考案の第５形態の棚部であり、（ａ）は中央横断面図、（ｂ）は棚部のみを中央から破断した正面図である。
【図１９】本考案の第５形態の棚部の連結状態を説明するために、（ａ）は横方向の連結を、（ｂ）は縦方向の連結を、各々示す図である。
【符号の説明】
【００７７】
１  段ボール製キャビネット
２  棚部
２Ａ  出入開口
２Ｃ  補強部
２ｃ  巻込片
３  引出部
３Ａ  開口
３Ｂ  取手口
３Ｃ  係合片
３Ｄ  係合孔
３Ｅ  係合孔
３Ｆ  係合孔
４  蓋部
４Ａ  天面
４ａ  前囲面
４ｂ  側囲面
４ｃ  後囲面
４Ｃ  係合孔
４Ｄ  係合片
４Ｄａ  係合片
４Ｄｂ  係合片
４Ｅ  切欠部
５  補強部
５ａ  縦連結凹部
５ｂ  縦連結凸部
５ｃ  横連結孔
Ｐ  退避維持部
Ｒ  ロック部
【図１】
0003128593.tif 000003
【図２】
0003128593.tif 000004
【図３】
0003128593.tif 000005
【図４】
0003128593.tif 000006
【図５】
0003128593.tif 000007
【図６】
0003128593.tif 000008
【図７】
0003128593.tif 000009
【図８】
0003128593.tif 000010
【図９】
0003128593.tif 000011
【図１０】
0003128593.tif 000012
【図１１】
0003128593.tif 000013
【図１２】
0003128593.tif 000014
【図１３】
0003128593.tif 000015
【図１４】
0003128593.tif 000016
【図１５】
0003128593.tif 000017
【図１６】
0003128593.tif 000018
【図１７】
0003128593.tif 000019
【図１８】
0003128593.tif 000020
【図１９】
0003128593.tif 000021